(57)【要約】【目的】映像や音楽などの多量の情報を安全かつ正確に効率よく低価格で提供する。【構成】情報提供者から利用者にＣＤ−ＲＯＭ４２を提供する。通信インタフェース部３６によって、利用者ＩＤを利用者から情報提供者に送出し、情報提供者側において、利用者のＩＤが正規の利用者のＩＤであると識別された場合、ＣＤ−ＲＯＭ４２の情報を利用者がアクセスして読み出すことを許可するアクセス許可情報を、情報提供者から利用者に送出する。これにより、ＣＤ−ＲＯＭ読取装置３１は、ＣＤ−ＲＯＭ４２から所定の情報を読み取ることが可能になる。【選択図】図３
2006114052.tif 000002
【特許請求の範囲】
【請求項１】
情報記録媒体を介して情報を利用者に提供する情報提供者により使用される情報提供装置から、前記情報へのアクセスを許可するアクセス許可情報を取得する利用者端末において、
前記記録媒体に記録されている前記情報にアクセスし、前記情報を読み出すアクセス手段と、
情報識別子により識別されて、前記情報記録媒体に記録されている前記情報のうち、アクセスしようとする情報を、前記情報識別子に基づいて指定する指定手段と、
前記情報識別子と、前記アクセス許可情報とを対応付けて記憶する記憶手段と、
前記指定手段により指定された前記情報識別子に対応するアクセス許可情報が前記記憶手段に記憶されているか否かを判定する第１の判定手段と、
前記第１の判定手段により前記情報識別子に対応するアクセス許可情報が記憶されていると判定された場合、前記アクセス許可情報が有効期限内であるか否かを判定する第２の判定手段と、
前記第２の判定手段により前記情報識別子に対応するアクセス許可情報が有効期限内であると判定された場合、前記アクセス手段を制御して、前記アクセス許可情報に基づいて、前記情報にアクセスさせる動作制御手段と、
前記第１の判定手段により前記情報識別子に対応するアクセス許可情報が記憶されていないと判定された場合、または、前記第２の判定手段により前記情報識別子に対応するアクセス許可情報が有効期限内ではないと判定された場合、前記利用者を識別する利用者識別子と、前記情報を識別する情報識別子とを前記情報提供装置に送信する送信手段と、
前記送信手段により送信された前記利用者識別子と前記情報識別子とに基づいて、前記情報提供装置より送信されてくるアクセス許可情報を取得する取得手段とを備え、
前記記憶手段は、前記取得手段により取得された前記アクセス許可情報を、前記情報識別子と対応付けて、新たに記憶する、または、更新する
ことを特徴とする利用者端末。
【請求項２】
情報記録媒体を介して情報を利用者に提供する情報提供者により使用される情報提供装置から、前記情報へのアクセスを許可するアクセス許可情報を取得する利用者端末の動作方法において、
前記記録媒体に記録されている前記情報にアクセスし、前記情報を読み出すアクセスステップと、
情報識別子により識別されて、前記情報記録媒体に記録されている前記情報のうち、アクセスしようとする情報を、前記情報識別子に基づいて指定する指定ステップと、
前記情報識別子と、前記アクセス許可情報とを対応付けて記憶する記憶ステップと、
前記指定ステップの処理により指定された前記情報識別子に対応するアクセス許可情報が前記記憶ステップの処理により記憶されているか否かを判定する第１の判定ステップと、
前記第１の判定ステップの処理により前記情報識別子に対応するアクセス許可情報が記憶されていると判定された場合、前記アクセス許可情報が有効期限内であるか否かを判定する第２の判定ステップと、
前記第２の判定ステップの処理により前記情報識別子に対応するアクセス許可情報が有効期限内であると判定された場合、前記アクセスステップの処理を制御して、前記アクセス許可情報に基づいて、前記情報にアクセスさせる動作制御ステップと、
前記第１の判定ステップの処理により前記情報識別子に対応するアクセス許可情報が記憶されていないと判定された場合、または、前記第２の判定ステップの処理により前記情報識別子に対応するアクセス許可情報が有効期限内ではないと判定された場合、前記利用者を識別する利用者識別子と、前記情報を識別する情報識別子とを前記情報提供装置に送信する送信ステップと、
前記送信ステップの処理により送信された前記利用者識別子と前記情報識別子とに基づいて、前記情報提供装置より送信されてくるアクセス許可情報を取得する取得ステップとを含み、
前記記憶ステップの処理は、前記取得ステップの処理により取得された前記アクセス許可情報を、前記情報識別子と対応付けて、新たに記憶する、または、更新する
ことを特徴とする利用者端末の動作方法。
【発明の詳細な説明】
【技術分野】
【０００１】
本発明は、例えば映像や音声等の大量の情報を提供する情報提供システムに関する。
【背景技術】
【０００２】
従来の情報提供システムは、情報提供者のデータベースシステムからの情報を、電話回線等を用いてパソコン等の利用者の情報処理端末装置に伝送することによって、情報提供者から利用者に情報を提供していた。
【０００３】
また、従来の他の情報提供システムは、データベースシステムからの情報を、利用者の情報処理端末装置に衛星などを使った放送によって、情報提供者から利用者に提供していた。
【０００４】
さらに、従来の別の情報提供システムは、利用者に提供すべき情報が記録されたＣＤ−ＲＯＭ等の記録媒体を有料で販売し、電話でデータの暗号を解読する鍵を受け渡すことで利用者に情報を提供していた。
【発明の開示】
【発明が解決しようとする課題】
【０００５】
電話回線を用いて情報を伝送する従来の情報提供システムは、伝送すべき情報が、テキストデータのように情報量が比較的少ない場合は問題ないが、映像や音楽等、情報量が膨大なデータを伝送する場合、電話回線の伝送レートの制約等による回線コストの増大を招く。
【０００６】
また、放送によって情報を利用者に提供する場合、情報の流れが一方向のみであり、放送によって利用者に送られた情報は自由に利用されるので、情報管理などのセキュリティの面で問題があった。
【０００７】
さらに、提供すべき情報を記録した記録媒体を販売する場合、データの暗号解読のための鍵を、人が直接電話で利用者に受け渡すようにするので、時間無休のサービスを行う必要が生じ、実際には実現が困難である等の問題を有している。
【０００８】
本発明は、以上の点を考慮してなされたもので、多数の利用者に、映像や音楽など、膨大なデータ多量の情報を効率よく低価格で提供し得る情報提供システムを実現することを目的とする。
【課題を解決するための手段】
【０００９】
本発明の一側面の利用者端末は、情報記録媒体を介して情報を利用者に提供する情報提供者により使用される情報提供装置から、前記情報へのアクセスを許可するアクセス許可情報を取得する利用者端末であって、前記記録媒体に記録されている前記情報にアクセスし、前記情報を読み出すアクセス手段と、情報識別子により識別されて、前記情報記録媒体に記録されている前記情報のうち、アクセスしようとする情報を、前記情報識別子に基づいて指定する指定手段と、前記情報識別子と、前記アクセス許可情報とを対応付けて記憶する記憶手段と、前記指定手段により指定された前記情報識別子に対応するアクセス許可情報が前記記憶手段に記憶されているか否かを判定する第１の判定手段と、前記第１の判定手段により前記情報識別子に対応するアクセス許可情報が記憶されていると判定された場合、前記アクセス許可情報が有効期限内であるか否かを判定する第２の判定手段と、前記第２の判定手段により前記情報識別子に対応するアクセス許可情報が有効期限内であると判定された場合、前記アクセス手段を制御して、前記アクセス許可情報に基づいて、前記情報にアクセスさせる動作制御手段と、前記第１の判定手段により前記情報識別子に対応するアクセス許可情報が記憶されていないと判定された場合、または、前記第２の判定手段により前記情報識別子に対応するアクセス許可情報が有効期限内ではないと判定された場合、前記利用者を識別する利用者識別子と、前記情報を識別する情報識別子とを前記情報提供装置に送信する送信手段と、前記送信手段により送信された前記利用者識別子と前記情報識別子とに基づいて、前記情報提供装置より送信されてくるアクセス許可情報を取得する取得手段とを備え、前記記憶手段は、前記取得手段により取得された前記アクセス許可情報を、前記情報識別子と対応付けて、新たに記憶する、または、更新することを特徴とする。
【００１０】
本発明の一側面の利用者端末の動作方法は、情報記録媒体を介して情報を利用者に提供する情報提供者により使用される情報提供装置から、前記情報へのアクセスを許可するアクセス許可情報を取得する利用者端末の動作方法であって、前記記録媒体に記録されている前記情報にアクセスし、前記情報を読み出すアクセスステップと、情報識別子により識別されて、前記情報記録媒体に記録されている前記情報のうち、アクセスしようとする情報を、前記情報識別子に基づいて指定する指定ステップと、前記情報識別子と、前記アクセス許可情報とを対応付けて記憶する記憶ステップと、前記指定ステップの処理により指定された前記情報識別子に対応するアクセス許可情報が前記記憶ステップの処理により記憶されているか否かを判定する第１の判定ステップと、前記第１の判定ステップの処理により前記情報識別子に対応するアクセス許可情報が記憶されていると判定された場合、前記アクセス許可情報が有効期限内であるか否かを判定する第２の判定ステップと、前記第２の判定ステップの処理により前記情報識別子に対応するアクセス許可情報が有効期限内であると判定された場合、前記アクセスステップの処理を制御して、前記アクセス許可情報に基づいて、前記情報にアクセスさせる動作制御ステップと、前記第１の判定ステップの処理により前記情報識別子に対応するアクセス許可情報が記憶されていないと判定された場合、または、前記第２の判定ステップの処理により前記情報識別子に対応するアクセス許可情報が有効期限内ではないと判定された場合、前記利用者を識別する利用者識別子と、前記情報を識別する情報識別子とを前記情報提供装置に送信する送信ステップと、前記送信ステップの処理により送信された前記利用者識別子と前記情報識別子とに基づいて、前記情報提供装置より送信されてくるアクセス許可情報を取得する取得ステップとを含み、前記記憶ステップの処理は、前記取得ステップの処理により取得された前記アクセス許可情報を、前記情報識別子と対応付けて、新たに記憶する、または、更新することを特徴とする。
【００１１】
本発明の一側面の利用者端末および利用者端末の動作方法においては、前記記録媒体に記録されている前記情報がアクセスされて、前記情報が読み出され、情報識別子により識別されて、前記情報記録媒体に記録されている前記情報のうち、アクセスしようとする情報が、前記情報識別子に基づいて指定され、前記情報識別子と、前記アクセス許可情報とが対応付けられて記憶され、指定された前記情報識別子に対応するアクセス許可情報が記憶されているか否かが判定され、前記情報識別子に対応するアクセス許可情報が記憶されていると判定された場合、前記アクセス許可情報が有効期限内であるか否かが判定され、前記情報識別子に対応するアクセス許可情報が有効期限内であると判定された場合、前記アクセス許可情報に基づいて、前記情報がアクセスされ、前記情報識別子に対応するアクセス許可情報が記憶されていないと判定された場合、または、前記情報識別子に対応するアクセス許可情報が有効期限内ではないと判定された場合、前記利用者を識別する利用者識別子と、前記情報を識別する情報識別子とが前記情報提供装置に送信され、送信された前記利用者識別子と前記情報識別子とに基づいて、前記情報提供装置より送信されてくるアクセス許可情報が取得され、取得された前記アクセス許可情報が、前記情報識別子と対応付けて、新たに記憶される、または、更新される。
【発明の効果】
【００１２】
本発明によれば、多数の利用者に、映像や音楽等、膨大なデータ量の情報を、効率よく低価格で、提供し得る等の効果を奏する。
【発明を実施するための最良の形態】
【００１３】
以下、本発明の一実施例を図１乃至図３に基づいて説明する。図１は、本発明の情報提供システムの情報の全体的流れを示すシステム構成図である。同図において、情報提供装置１は、情報提供者が情報を利用者に提供するためのシステムであって、具体的には、例えば図２に示すように構成されている。利用者端末装置２は、情報提供者からの情報を抽出し得るものであって、具体的には、例えば図３に示すように構成されている。
【００１４】
情報提供装置１と利用者端末装置２は、電話回線、ＩＳＤＮなどの通信網３によって、情報を双方向で伝送可能に接続されるとともに、情報提供装置１から利用者端末装置２に対して、衛星４を介した放送網５で情報が伝送可能になされている。情報提供装置１と利用者端末装置２との間の情報の交換は、通信網３および放送網５で行われるが、通信網３と放送網５の通信速度は非対称（異なる速度）となっている。
【００１５】
図２において、記憶装置１１は、利用者毎の課金情報、更新の履歴情報および利用者の電話番号等を記憶している。記憶装置１２は、利用者毎のＣＤ−ＲＯＭ等の記録媒体に対する情報の読出を許可するアクセス許可情報、および情報提供者が提供する各情報のアクセス許可料金を記憶している。
【００１６】
暗号化回路１６は、情報提供装置１から送出される情報に対して、例えば、スクランブルＤＥＳ，ＦＥＡＬ，ＲＳＡなどの方式に従って暗号化処理を行う。変換器１７は、暗号化された情報を、伝送に適した所定の信号に変換する。通信インタフェース部１８は、通信網３や放送網５に接続するインタフェースである。伝送系２０は、通信網３や放送網５を示している。
【００１７】
ＲＯＭ１５は、この情報提供装置１を働かせる実行プログラムや、記憶装置１１の管理情報が記憶されている。ＲＡＭ１４は、現在の状況を示す情報を記憶する。ＣＰＵ１３は、実行プログラムを実行する。システムバス１９は、各システムブロックを接続するデータバス、アドレスバス、制御バスなどからなる。
【００１８】
図３において、ＣＤ−ＲＯＭ読取装置３１は、ＣＤ−ＲＯＭ４２に記録されている情報を読み取る。記憶装置４０は、ＣＤ−ＲＯＭ４２のアクセス許可情報を記憶する。暗号解読回路３５は、情報提供装置１から送出された情報に対して暗号解読処理を行う。通信インタフェース部３６は、通信網３や放送網５に接続するインタフェースである。
【００１９】
ＲＡＭ３３は、ＣＤ−ＲＯＭ４２のディレクトリ情報等を記憶する。ＲＯＭ３４は、実行プログラムおよび利用者端末装置２の管理情報を記憶している。ＣＰＵ３２は、実行プログラムを実行する。
【００２０】
表示回路３８は、テレビモニタ等の表示装置３９に表示可能に情報を信号処理する。操作装置３７は、利用者によって操作され、表示装置３９に表示すべき情報を選択するなどの操作を行う。システムバス４１は、各システムブロックを接続するデータバス、アドレスバス、制御バスなどからなる。
【００２１】
以上の構成に基づいて、図４および図５に示すフローチャートを参照しながら、その動作を説明する。ここで説明される情報提供システムの通信網として、ＩＳＤＮを用いた場合について説明する。
【００２２】
情報提供者は、映像や音楽等の膨大な情報を記録したＣＤ−ＲＯＭ４２を、所定の流通経路で利用者に配布する。この場合の価格は、無料とするか、あるいは有料とする場合は、充分低価格とする（実質的な料金は、後述する課金処理で徴収する）。
【００２３】
利用者は、ＣＤ−ＲＯＭ４２をＣＤ−ＲＯＭ読取装置３１に装着し、操作装置３７を操作して、ＣＤ−ＲＯＭ４２に記録されている情報の中から所望の情報のアクセスを要求する。利用者がＣＤ−ＲＯＭ４２の情報をアクセスする場合、例えば情報の内容の一覧表示から木構造の情報管理機構により、所望の情報を検索し、読み込んだり実行することができる。
【００２４】
操作装置３７の操作によってアクセスの要求がされると、ＣＰＵ３２は、ＲＯＭ３４に記憶されている実行プログラムを実行する。図４は、この実行プログラムの処理の流れを示している。
【００２５】
最初に利用者は、アクセスする情報が記録されているＣＤ−ＲＯＭ４２の媒体識別子（媒体ＩＤ）を、操作装置３７を操作することで入力する。あるいは、この媒体ＩＤは、ＣＤ−ＲＯＭ４２をＣＤ−ＲＯＭ読取装置３１に装着したとき、自動的に読み取らせるようにすることもできる（ステップ１０１）。
【００２６】
次に利用者は、操作装置３７を操作して、自分を識別する利用者識別子（利用者ＩＤ）を入力する（ステップ１０２）。さらに同様にして、アクセスする情報に対応する情報識別子（情報ＩＤ）を入力する（ステップ１０３）。これらのＩＤは、ＲＡＭ３３に記憶される。
【００２７】
ＣＰＵ３２は、このようなＩＤが入力されたとき、記憶装置４０に記憶されている、入力された利用者ＩＤのアクセス管理情報から、入力された媒体ＩＤの情報ＩＤに対応する情報アクセス許可鍵の記録されている記録装置の番号と、その格納位置を読み取る（ステップ１０４）。
【００２８】
そして、読み取った結果から、情報アクセス許可鍵があるか否か（ステップ１０５）、ある場合においては、その情報アクセス許可鍵は有効期限内のものであるか否か（ステップ１０６）を判定する。有効期限内の情報アクセス許可鍵が存在する場合においては、ＣＰＵ３２は、入力された情報ＩＤに対応する情報へのアクセスを実行させる。即ち、ＣＤ−ＲＯＭ読取装置３１を制御し、ＣＤ−ＲＯＭ４２から、入力された情報ＩＤに対応する情報を読み出し、表示回路３８を介して表示装置３９に出力し、表示させる（ステップ１０７）。
【００２９】
一方、情報アクセス許可鍵が記憶装置４０に登録されていないか、あるいは、登録されていたとしても、その有効期限が既に切れている場合においては、アクセスの問い合わせ処理が実行される（ステップ１０８）。そして、アクセスの問い合わせ処理の結果、有効期限内の情報アクセス許可鍵が得られれば、情報へのアクセス処理が実行される（ステップ１０７）。
【００３０】
このアクセスの問い合わせ処理の詳細は、図５に示されている。
【００３１】
図５において、まずＣＰＵ３２は、ＣＤ−ＲＯＭ４２に記録されている該当する情報に対する情報提供者の電話番号をＣＤ−ＲＯＭ読取装置３１で読み取らせ、ＲＡＭ３３にメモリする（ステップ２０１）。また、同様に、ＣＰＵ３２は、ＲＡＭ３３に記憶した媒体ＩＤ、利用者ＩＤ、および情報ＩＤを、情報提供者に伝送するデータとしてセットする（ステップ２０２乃至２０４）。
【００３２】
尚、情報提供者の電話番号は、１つとは限らない。複数の情報提供者に問い合わせる必要があるときは、その複数の情報提供者の電話番号がＣＤ−ＲＯＭ４２に記録されており、これが読み出され、ＲＡＭ３３にメモリされる。
【００３３】
ＲＡＭ３３にメモリされている情報提供者の電話番号に基づいて、通信インタフェース部３６を介して利用者を発呼する（ステップ２０５）。ＣＰＵ３２は、利用者端末装置２と情報提供装置１の回線が接続されると、ＲＡＭ３３にメモリされている媒体ＩＤ、利用者ＩＤ、情報ＩＤを呼設定メッセージのユーザ・ユーザ情報に付加し、これらの情報を、通信インタフェース部３６、通信網３からなる伝送系２０を介して、情報提供装置１に伝送する（ステップ２０６）。
【００３４】
情報提供装置１は、通信インタフェース部１８を介して、これらのＩＤ情報を受信する。ＣＰＵ１３は、これら受信したＩＤ情報のうち、利用者ＩＤに相当する情報が、記憶装置１２に記憶されている利用者管理情報内のどの位置にあるのかを検索することによって、利用者ＩＤが正規の利用者のＩＤか否かを判断する（ステップ２０７）。受信した利用者ＩＤが正規の利用者のＩＤでないと判断されると、利用者端末装置２と情報提供装置１の回線が切断、開放され（ステップ２１２）、処理を終了する。即ち、この場合、利用者は要求した情報をアクセスすることができない。
【００３５】
尚、ここにおける正規の利用者とは、ＣＤ−ＲＯＭ４２の購入者として利用者より届け出がなされた者であって、過去の課金に対応する料金を確実に支払っている利用者を意味する。料金未納の利用者は、ここにおける正規の利用者として登録されないので、情報をアクセスすることができない。
【００３６】
受信した利用者ＩＤが正規の利用者のＩＤであると判断されると、利用者管理情報内の検索がさらに行われ、利用者ＩＤ、媒体ＩＤおよび情報ＩＤに対応する課金情報およびアクセス許可情報であるアクセス許可鍵が抽出される（ステップ２０８）。
【００３７】
送出すべきＣＤ−ＲＯＭ４２等の記録媒体毎のアクセス許可情報は、暗号化回路１６で暗号化処理された後、変換器１７で所定の信号処理がなされた後、通信インタフェース部１８を介して利用者端末装置２へ伝送される（ステップ２０９）。また、これにより、情報がアクセス可能となるため、その利用者の課金情報は、要求された情報ＩＤに応じて更新され、記憶装置１２の利用者管理情報内に再び記憶される（ステップ２１０）。情報提供者は、所定の時期（例えば月末）に、この課金情報を収計し、利用者に請求書を発行する。
【００３８】
利用者端末装置２に伝送されたアクセス許可情報は、通信インタフェース部３６を介して受信され、暗号解読回路３５に送られ、暗号が解読される。ＣＰＵ３２は、解読された記録媒体毎のアクセス許可情報を記憶装置４０に記憶することによってアクセス許可情報を更新する（ステップ２１１）。
【００３９】
これにより、ＣＰＵ３２は、更新されたアクセス許可情報に基づいて、ＣＤ−ＲＯＭ読取装置３１に対して、ＣＤ−ＲＯＭ４２内の要求された情報をアクセスするよう指示する（ステップ１０７）。アクセスされ、読み出された情報は、表示回路３８を介して表示装置３９に表示される。このようにして、利用者は要求した情報を得ることができる。
【００４０】
図６は、情報提供装置１が、利用者端末装置２の記憶装置４０に記憶されている情報アクセス許可鍵の少なくとも一部を更新する必要が生じた場合に実行する処理を表している。この処理は、一定の期間毎に周期的に行われたり、更新する必要性が発生したとき（有効期限が満了するとき）、その都度、実行される。
【００４１】
情報提供装置１のＣＰＵ１３は、記憶装置１１に記憶されている管理情報から、利用者の電話番号を検索する（ステップ３０１）。そして、通信インタフェース部１８により、その電話番号に対して発呼動作が行われる（ステップ３０２）。これにより、情報アクセス許可鍵の更新が行われることになるため、ＣＰＵ１３は、記憶装置１１に記憶されている更新の履歴情報（更新日時）を更新させる（ステップ３０３）。
【００４２】
さらにＣＰＵ１３は、記憶装置１２に記憶されている個人管理情報から、更新すべき情報アクセス許可鍵が記録されている利用者端末装置２の記憶装置４０の番号と、その格納位置を読み出す（ステップ３０４）。そして、その読み出した番号の記憶装置の読み出した格納位置の情報アクセス許可鍵を更新すべく、更新のリクエストと更新情報を、通信インタフェース部１８を介して利用者端末装置２に伝送する。
【００４３】
利用者端末装置２においては、情報提供装置１より、この更新のリクエストを受けたとき、ＣＰＵ３２が、そのリクエストに対応する処理を実行する。即ち、供給された番号の記憶装置４０を制御し、供給された格納位置に格納されている情報アクセス許可鍵を、新たに伝送されてきた情報アクセス許可鍵で書き換える（ステップ３０５）。
【００４４】
情報提供者は、課金に対応する料金の支払が行われていない利用者の情報アクセス許可鍵を更新しないようにすることで、情報の利用を制限することができる。
【００４５】
尚、全利用者に対するアクセス許可情報を一度に更新するときは、通信インタフェース部１８を放送網５側に切り換えて更新情報を送信することによって伝送効率を高めるようにし、個々の利用者に対するアクセス許可情報を更新するときは、通信インタフェース部１８を通信網３側に切り換えて更新情報を送信することによって安全性を高めるようにすることができる。
【００４６】
尚、情報アクセス許可鍵は、所定のコード等を用いることもできるが、ＣＤ−ＲＯＭ４２にディレクトリ情報を記録しないでおき、このディレクトリ情報を、情報アクセス許可鍵として伝送するようにすることもできる。
【図面の簡単な説明】
【００４７】
【図１】本発明の情報提供システムの情報の全体的流れの一実施例を示すシステム構成図である。
【図２】本発明の情報提供システムの情報提供装置の具体的構成の一実施例を示すブロック図である。
【図３】本発明の情報提供システムの利用者端末装置の具体的構成の一実施例を示すブロック図である。
【図４】本発明の情報提供システムの利用者端末装置の動作の流れの一実施例を説明するフローチャートである。
【図５】図４のステップ１０８の動作の流れの一実施例を説明するフローチャートである。
【図６】情報を更新する場合の処理を説明するフローチャートである。
【符号の説明】
【００４８】
１  情報提供装置
２  利用者端末装置
３  通信網
４  衛星
５  放送網
１１、１２、４０  記憶装置
１３、３２  ＣＰＵ
１４、３３  ＲＡＭ
１５、３４  ＲＯＭ
１６  暗号化回路
１７  変換器
１８、３６  通信インタフェース部
１９、４１  システムバス
２０  伝送系
３１  ＣＤ−ＲＯＭ読取装置
３５  暗号解読回路
３７  操作装置
３８  表示回路
３９  表示装置
４２  ＣＤ−ＲＯＭ
【図１】
2006114052.tif 000003
【図２】
2006114052.tif 000004
【図３】
2006114052.tif 000005
【図４】
2006114052.tif 000006
【図５】
2006114052.tif 000007
【図６】
2006114052.tif 000008